(57)【要約】【課題】端末の再生画面をディスプレイへとミラーリングするシステムにおいて、複数のミラーリング規格に低コストで対応させること。【解決手段】アダプタ装置２は、携帯端末１との間で無線接続を確立する中継側通信部２１と、中継側通信部２１の接続待ちモードの入力を受け付けるモード選択部と、モード選択部により受け付けた接続待ちモードの通信規格を、中継側通信部２１が受け付け可能な無線接続の通信規格として中継側通信部２１に設定する通信設定部２２と、中継側通信部２１の無線接続を介して受信した携帯端末１から出力画面データを描画し、その描画結果を接続されている表示装置４へと転送するレンダリング部２７と、を有する。【選択図】図２
2014222432.tif 000002
【特許請求の範囲】
【請求項１】
複数の通信規格のうちの１つの通信規格を、接続待ちモードとして入力を受け付けるモード選択部と、
前記モード選択部により受け付けた前記接続待ちモードの通信規格を、受け付け可能な無線接続の通信規格として自身に設定する通信設定部と、
前記通信設定部により設定された前記接続待ちモードの通信規格での無線接続を、携帯端末との間で確立する中継側通信部と、
前記中継側通信部の無線接続を介して受信した前記携帯端末からの出力画面データを描画し、その描画結果を接続されている表示装置に転送することで、前記表示装置に描画結果を表示させるレンダリング部と、を有することを特徴とする
アダプタ装置。
【請求項２】
前記アダプタ装置は、さらに、前記中継側通信部が無線接続を確立するために必要な前記携帯端末の接続用情報として、少なくとも接続先である自身の前記アダプタ装置の識別情報を前記表示装置に表示する接続用情報提供部を有することを特徴とする
請求項１に記載のアダプタ装置。
【請求項３】
前記モード選択部は、前記接続待ちモードの入力として、前記接続待ちモードの通信規格を示すモード選択信号を前記携帯端末から受け付けることを特徴とする
請求項１または請求項２に記載のアダプタ装置。
【請求項４】
前記アダプタ装置は、さらに、ＷＡＮ（Wide Area Network）との通信インタフェースとなるＷＡＮ通信部を有しており、
前記中継側通信部が無線接続を確立した前記携帯端末に対して、前記ＷＡＮ通信部を介するＷＡＮへのアクセスを提供するアクセスポイント装置として動作することを特徴とする
請求項１ないし請求項３のいずれか１項に記載のアダプタ装置。
【請求項５】
前記アダプタ装置は、さらに、圧縮符号化のエンコード処理がなされている前記出力画面データを前記中継側通信部が受信したときに、その出力画面データを解析し再生できる形に変換して前記レンダリング部に通知するデコード部を有することを特徴とする
請求項１ないし請求項４のいずれか１項に記載のアダプタ装置。
【請求項６】
請求項１ないし請求項５のいずれか１項に記載のアダプタ装置と、前記表示装置とを有しており、前記アダプタ装置は、前記携帯端末からの出力画面データを、前記表示装置に表示させることを特徴とする
ミラーリングシステム。
【請求項７】
携帯端末と表示装置とを中継するアダプタ装置が、
前記携帯端末の出力画面データを受信するための無線接続について、複数の通信規格のうちの現在受け付ける無線接続の通信規格を示す接続待ちモードの入力を受け付け、
受け付けた前記接続待ちモードの通信規格を、受け付け可能な無線接続の通信規格として自身に設定し、その設定された無線接続を前記携帯端末との間で確立し、
無線接続を介して受信した前記携帯端末から前記出力画面データを描画し、その描画結果を接続されている前記表示装置に転送することで、前記表示装置に描画結果を表示させることを特徴とする
ミラーリング方法。
【発明の詳細な説明】
【技術分野】
【０００１】
本発明は、アダプタ装置、ミラーリングシステム、および、ミラーリング方法の技術に関する。
【背景技術】
【０００２】
ミラーリングとは、スマートフォンなどの表示データを生成する生成側装置から、液晶ディスプレイなどの表示側装置へと表示データを転送して表示させる技術である。これにより、生成側装置の利用者だけでなく、周囲の友人なども表示側装置の同じ画面を閲覧することができるので、映画鑑賞やプレゼンテーションなどが手軽に実現できる（特許文献１，２参照）。
【０００３】
なお、会議で順番にプレゼンテーションを行う場合などに、１台の表示側装置に対して、複数台の生成側装置がそれぞれ表示データを転送したい場合もある。そこで、表示側装置の側で、表示要求のあった複数台の生成側装置のうちのどの装置からの表示データを許可するかを選択する手法が提案されている（特許文献３，４参照）。これらの手法により、互いの表示データが衝突せずに、１台分の表示データが、１台の表示側装置を占有して表示される。
【先行技術文献】
【特許文献】
【０００４】
【特許文献１】特開２０１２−１７７９０２号公報
【特許文献２】特開平１１−２９６２７０号公報
【特許文献３】特開２０１２−１６００２０号公報
【特許文献４】特開２００５−２６６７７７号公報
【発明の概要】
【発明が解決しようとする課題】
【０００５】
複数台の生成側装置が１台の表示側装置を共用するケースにおいては、表示データの選択処理だけでなく、生成側装置のミラーリング規格と、表示側装置のミラーリング規格とを整合させる必要がある。ミラーリング規格として、例えば、Miracast（登録商標）、AirPlay（登録商標）、DLNA（Digital Living Network Alliance）（登録商標）が挙げられる。
【０００６】
AirPlayは、アップル社が提供する規格であり、iPad（登録商標）などの端末のiOS上で動作する。Miracast、DLNAは、それぞれLinux（登録商標）ベースのプラットフォームであるAndroid上で動作する規格である。Miracastは、Android（登録商標） 4.2で標準対応する新しい規格であり、DLNAは、Miracastよりも古くから存在している規格である。これらの規格では、表示データの送信側から受信側へと表示データを送信する前準備（通信路の確立など）が互いに異なっており、同じ規格どうしで前準備を実行できた後に、表示データを送信することができる。
【０００７】
よって、生成側装置のミラーリング規格に対応していない表示側装置を用いてミラーリングを行う場合は、生成側装置と表示側装置とを仲介するアダプタ装置を用意する必要がある。このアダプタ装置が生成側装置のミラーリング規格に対応していれば、アダプタ装置がミラーリング規格に従って受信した表示データを、表示可能な形式としてそのまま表示側装置へと転送することにより、表示側装置でのデータ表示が可能となる。つまり、表示側装置が未対応のミラーリング規格を、アダプタ装置が吸収するしくみである。
しかし、３つの規格それぞれのアダプタ装置を用意することとなると、金銭コストや場所コストを強いる上に、表示側装置の画像入力端子を３入力分埋めてしまい、拡張性に乏しいものとなってしまう。
【０００８】
そこで、本発明は、端末の再生画面をディスプレイへとミラーリングするシステムにおいて、複数のミラーリング規格に低コストで対応させることを、主な目的とする。
【課題を解決するための手段】
【０００９】
前記課題を解決するために、本発明のアダプタ装置は、
複数の通信規格のうちの１つの通信規格を、接続待ちモードとして入力を受け付けるモード選択部と、
前記モード選択部により受け付けた前記接続待ちモードの通信規格を、受け付け可能な無線接続の通信規格として自身に設定する通信設定部と、
前記通信設定部により設定された前記接続待ちモードの通信規格での無線接続を、携帯端末との間で確立する中継側通信部と、
前記中継側通信部の無線接続を介して受信した前記携帯端末からの出力画面データを描画し、その描画結果を接続されている表示装置に転送することで、前記表示装置に描画結果を表示させるレンダリング部と、を有することを特徴とする。
その他の手段は、後記する。
【発明の効果】
【００１０】
本発明によれば、端末の再生画面をディスプレイへとミラーリングするシステムにおいて、複数のミラーリング規格に低コストで対応させることができる。
【図面の簡単な説明】
【００１１】
【図１】本発明の一実施形態に関するミラーリングシステムを示す構成図である。
【図２】本発明の一実施形態に関するミラーリングシステムの詳細を示す構成図である。
【図３】本発明の一実施形態に関するミラーリングシステムの動作を示す処理説明図である。
【図４】本発明の一実施形態に関するアダプタ装置の出力画面を示す説明図である。
【図５】本発明の一実施形態に関する携帯端末の出力画面を示す説明図である。
【発明を実施するための形態】
【００１２】
以下、本発明の一実施形態について、図面を参照して詳細に説明する。
【００１３】
図１は、ミラーリングシステムを示す構成図である。ミラーリングシステムは、携帯端末１（１ａ〜１ｃ）と、アダプタ装置２と、表示装置４とを含めて構成される。
表示装置４には、携帯端末１が自身の表示画面（タッチパネルの液晶画面など）に表示する内容である表示データが、ミラーリング（転送）して表示される。アダプタ装置２は、携帯端末１の表示データを受信して、表示装置４へと転送する。
ミラーリングシステムを構成する機器間の通信手段としては、例えば、アダプタ装置２と携帯端末１との間に形成される論理的な通信路であるwi-fi（登録商標）などの無線通信、アダプタ装置２と表示装置４との間を接続するＨＤＭＩ（High-Definition Multimedia Interface）（登録商標）ケーブルなどの有線通信などが挙げられる。
【００１４】
なお、図１のミラーリングシステムを構成する各装置（携帯端末１、アダプタ装置２、表示装置４）は、ＣＰＵ（Central Processing Unit）とメモリとハードディスク（記憶手段）と通信用インタフェースを有するコンピュータとして構成され、このコンピュータは、ＣＰＵが、メモリ上に読み込んだプログラムを実行することにより、各処理部を動作させる。
【００１５】
ここで、アダプタ装置２には、様々なミラーリング規格の携帯端末１が接続される。図１では、それらの規格として、Miracast、AirPlay、DLNAという３つの規格を例示するが、この３つの規格だけに限定されるものではない。
なお、１つのミラーリング規格は、ミラーリングを行うための通信路を確立するために、１つ以上の無線規格に対応している（無線規格を利用している）。例えば、Miracastのミラーリング規格では、Wi-Fi-Directモードの通信規格を利用するように規定されている。一方、AirPlayやDLNAのミラーリング規格では、Wi-Fi-infrastructureモードの通信規格を利用するように規定されている。
よって、図１のミラーリングシステムでは、携帯端末１ａは、Miracastが規定するWi-Fi-Directモードの通信規格を用いてアダプタ装置２と無線接続する。
携帯端末１ｂは、AirPlayが規定するWi-Fi-infrastructureモードの通信規格を用いてアダプタ装置２と無線接続する。
携帯端末１ｃは、DLNAが規定するWi-Fi-infrastructureモードの通信規格を用いてアダプタ装置２と無線接続する。
【００１６】
図２は、ミラーリングシステムの詳細を示す構成図である。
携帯端末（Miracast）１ａは、端末側表示部１１ａと、レンダリング部１２ａと、エンコード部１３ａと、端末側通信部１４ａとを有する。
レンダリング部１２ａは、自身のタッチパネルなどの端末側表示部１１ａに表示する画面の表示データを描画（レンダリング）する。エンコード部１３ａは、レンダリング部１２ａの表示データを対象として、リアルタイムにエンコード処理を行うことでエンコードデータを作成し、端末側通信部１４ａを介して、アダプタ装置２にエンコードデータを送信する。
端末側通信部１４ａは、アダプタ装置２の中継側通信部２１ａとの間に、Wi-Fi-Directモードでの論理接続を形成し、その論理接続を用いて、作成されたエンコードデータを送信する。
【００１７】
携帯端末（AirPlay）１ｂは、端末側表示部１１ｂと、レンダリング部１２ｂと、エンコードデータ格納部１３ｂと、端末側通信部１４ｂとを有する。
レンダリング部１２ｂは、エンコードデータ格納部１３ｂ内のエンコードデータをデコードしてから描画（レンダリング）することで、自身のタッチパネルなどの端末側表示部１１ｂに表示する画面の表示データを作成する。
【００１８】
なお、エンコードデータは、あらかじめＭＰＥＧ（Moving Picture Experts Group）−４などの映像ファイルの規格により圧縮符号化された（エンコードされた）データである。映像ファイルには、ビデオコーデックと音声コーデックとがコンテナによってまとめられている。そして、デコード処理は、エンコードデータを解析し再生できる形に変換する処理である。
【００１９】
なお、携帯端末（AirPlay）１ｂは、エンコードデータ格納部１３ｂに、エンコードデータそのものを格納していてもよいし、エンコードデータへのリンク（外部へのＵＲＬ（Uniform Resource Locator））を保持していてもよい。
端末側通信部１４ｂは、アダプタ装置２の中継側通信部２１ｂとの間に、Wi-Fi-infrastructureモードで通信可能に接続し、その接続を用いて、エンコードデータ格納部１３ｂ内のエンコードデータを送信する。
【００２０】
携帯端末（DLNA）１ｃは、端末側表示部１１ｃと、レンダリング部１２ｃと、エンコードデータ格納部１３ｃと、端末側通信部１４ｃとを有する。なお、携帯端末（DLNA）１ｃと携帯端末（AirPlay）１ｂとは、符号末尾が「ｂ」と「ｃ」と対応する、同等の構成要素を有する。例えば、エンコードデータ格納部１３ｂとエンコードデータ格納部１３ｃとが対応する。
【００２１】
アダプタ装置２は、中継側通信部２１（２１ａ〜２１ｃ）と、通信設定部２２と、デコード部２６と、レンダリング部２７と、ＷＡＮ（Wide Area Network）通信部２８とを有する。
中継側通信部２１（２１ａ〜２１ｃ）は、対応する端末側通信部１４（１４ａ〜１４ｃ）との間に、ミラーリング規格が対応する無線規格での通信路を形成する無線通信手段である。
【００２２】
通信設定部２２は、各規格の中継側通信部２１（２１ａ〜２１ｃ）のうち、現在どの規格を用いるのかを設定する。つまり、通信設定部２２は、中継側通信部２１ａ〜２１ｃのうち、これから接続する１つの中継側通信部２１だけを有効にし、他の２つの中継側通信部２１を無効にする。
つまり、１台のアダプタ装置２には、３つのミラーリング規格それぞれの中継側通信部２１を含んでおり、接続相手の携帯端末１のミラーリング規格と同じ規格の中継側通信部２１を有効化することにより、どのミラーリング規格の携帯端末１ともミラーリングできるようにしている。ミラーリング規格の有効化とは、そのミラーリング規格の接続用情報（詳細は後記）を用いて、アダプタ装置２を無線接続可能な状態にすることである。
なお、アダプタ装置２と接続相手の携帯端末１とでミラーリング規格が合致するために、両装置を同じユーザが操作してもよいし、別々のユーザが操作する場合であっても、ユーザ間であらかじめ同じミラーリング規格を決めておいてもよい。
【００２３】
なお、通信設定部２２は、３つの中継側通信部２１を排他的に使用するときには、２つを無効にすることとしたが、中継側通信部２１の無線通信モジュールが３つ存在するときには、つまり、３つの中継側通信部２１を同時並行に使用可能なときには、これから接続するものとは別の中継側通信部２１の無効化処理を行わなくてもよい。これにより、これから接続するものとは別の中継側通信部２１のWi-Fi接続を切断しないので、Wi-Fi接続とWi-Fi切断を繰り返すことをしなくて済む。
【００２４】
デコード部２６は、中継側通信部２１が受信したエンコードデータをデコードして、レンダリング部２７に渡す。また、デコード部２６は、中継側通信部２１が受信したデータがエンコードデータそのものでなく、エンコードデータへのリンクであるときには、ＷＡＮ通信部２８を介してインターネットのリンク先に位置するメディアサーバ３１のエンコードデータ格納部３２内のエンコードデータをロード（ダウンロードまたはストリーミング受信）してから、デコードする。
レンダリング部２７は、表示装置４の規格（解像度など）に合わせてデコードされた表示データを描画することで、表示装置４に出力する表示データを作成し、ＨＤＭＩケーブルを介して表示装置４に出力する。
【００２５】
図３は、ミラーリングシステムの動作を示す処理説明図である。なお、図３では、ミラーリングシステムの構成要素（アダプタ装置２、携帯端末１）に加えて、ミラーリングシステムのユーザの操作も記載しているが、この記載はあくまで説明をわかりやすくするためであり、ミラーリングシステムが操作をするユーザそのものを含めて構成されるわけではない。
【００２６】
Ｓ１１１として、ユーザは、アダプタ装置２のモード選択ボタン（モード選択部、図示省略）を押下すると、アダプタ装置２は自身の接続待ちモードを更新する（Ｓ１１２）。または、ユーザは、携帯端末１にモード選択信号を赤外線通信などで出力させることで、Ｓ１１２の更新処理を起動してもよい。よって、アダプタ装置２は、Ｓ１１２の処理をするためのモード選択手段（図示省略）を有する。
【００２７】
なお、モード選択手段は、接続待ちモードを更新するたびに、例えば、「接続待ちモードを「AirPlayモード」に更新します、よろしいでしょうか。」などの更新可否をユーザに確認させる画面を提示し、ユーザからの確認がとれたときに、接続待ちモードを更新することとしてもよい。これにより、現在使用している接続待ちモードをむやみに別の接続待ちモードへと変更することを抑制する。
【００２８】
Ｓ１１３として、アダプタ装置２は、Ｓ１１２で更新された接続待ちモードを示す画面を作成し、表示装置４に表示する。このＳ１１３の画面は、携帯端末１からミラーリングされた画面ではなく、アダプタ装置２が自身で作成した画面である。よって、アダプタ装置２は、Ｓ１１３の処理をするための接続用情報提供部（図示省略）を有する。
なお、接続待ちモードとは、３つの中継側通信部２１のうちのどの中継側通信部２１を用いるかを、通信設定部２２に設定させるモードであり、例えば、接続待ちモードが「AirPlayモード」なら、通信設定部２２は、中継側通信部２１ｂを利用（アクティブ）にする。
【００２９】
本実施形態では、接続待ちモードとして、以下の４つを例示する。
・Miracast PIN（Personal Identification Number）モード：携帯端末（Miracast）１ａからの接続を待つモードであり、その接続用情報として、暗証番号であるＰＩＮを用いる（図４（ａ）参照）。
・Miracast PBC（Push Button Configuration）モード：携帯端末（Miracast）１ａからの接続を待つモードであり、その接続用情報として、アダプタ装置２のＭＡＣ（Media Access Control）アドレスを用いる（図４（ｂ）参照）。
なお、Miracast PINモードおよびMiracast PBCモードでは、アダプタ装置２は、Wi-Fi-Directの接続用のＳＳＩＤを自身からは積極的に発信せず、携帯端末（Miracast）１ａから要求されたＳＳＩＤを参照するステルスモードで動作することが、不正な接続を防止する観点で望ましい。
【００３０】
・AirPlayモード：携帯端末（AirPlay）１ｂからの接続を待つモードであり、その接続用情報として、アダプタ装置２のＡＰ（Access Point）を識別するＳＳＩＤ（Service Set Identifier）を用いる（図４（ｃ）参照）。なお、アダプタ装置２は、携帯端末１にインターネット接続を提供するための無線ＬＡＮ（Local Area Network）のＡＰとしても動作する。
・DLNAモード：携帯端末（DLNA）１ｃからの接続を待つモードであり、その接続用情報として、AirPlayモードで説明したものと同様のＳＳＩＤに加え、DLNAの接続相手であるアダプタ装置２のＩＰアドレス（WFD-HDMIのＩＰアドレス）を用いる（図４（ｄ）参照）。なお、Ｓ１１３の画面として、接続用情報だけでなく、他の情報（例えば、図４（ｄ）に示すアダプタ装置２の設定画面にログインするためのＵＲＬや、そのＵＲＬを示すＱＲ（Quick Response）コードなどの設定用情報）を表示してもよい。
【００３１】
以上説明した４つの接続待ちモードの更新処理について、Ｓ１１１のモード選択ボタンがモードごとに（ここでは４つ）存在するときには、アダプタ装置２は、今回押下されたボタンに対応する接続待ちモードへと更新する（Ｓ１１２）。
または、Ｓ１１１のモード選択ボタンが１つだけ存在するときには、アダプタ装置２は、所定のモード順序（例えば、Miracast PINモード→Miracast PBCモード→AirPlayモード→DLNAモード→Miracast PINモード→Miracast PBCモード→…）にしたがって、前回のモードからみて次の接続待ちモードへと更新する（Ｓ１１２）。
【００３２】
Ｓ１１４として、ユーザは、Ｓ１１３で表示装置４に表示された画面を目視することで、アダプタ装置２の現在の接続待ちモードとその接続用情報を把握することができる。
【００３３】
Ｓ１２１として、ユーザは、Ｓ１１４で把握した接続用情報を、携帯端末１に入力する。ここでの入力操作とは、新たに接続用情報を新規設定として携帯端末１に入力させてもよいし、すでに携帯端末１に入力された接続用情報のリストをユーザに提示させて、その中から選択させてもよい。携帯端末１は、入力された接続用情報を受け付ける（Ｓ１２２）。
Ｓ１２３として、携帯端末１は、Ｓ１２２で受け付けた接続用情報をもとに、アダプタ装置２に対して接続を要求する。ここでの接続とは、図２で示したWi-Fi-Directの接続や、Wi-Fi-infrastructureの接続である。
【００３４】
Ｓ１２４として、アダプタ装置２は、Ｓ１２３の接続要求を受け付ける。そして、アダプタ装置２は、接続用情報をもとに、携帯端末１との間に接続を確立する。
なお、接続待ちモードの接続用情報で説明したように、このＳ１２４での接続の確立とは、ミラーリング規格が利用する通信路の確立だけでなく、ミラーリング規格を携帯端末１とアダプタ装置２との間で今後利用可能にするための、あらゆる前準備の処理を含めてもよい。前準備の処理とは、例えば、確立した通信路を介して行われる携帯端末１のユーザ認証処理や、ミラーリング規格を実現するための各種プログラムの起動処理などが含まれる。
ここで、アダプタ装置２は、Ｓ１１２で更新された最新の接続待ちモードに従った接続用情報の接続要求（Ｓ１２３）を受け付けるが、他の接続待ちモードの接続要求を受け付けないように拒否してもよい。これにより、規格が異なる複数の携帯端末１から同時期に発生した接続要求から、１つの接続要求を採用することで、どの携帯端末１からの画面出力を優先するかを特定できる。
【００３５】
そして、携帯端末１は、Ｓ１２４の接続を介して出力画面を転送するアプリ（ミラーリングアプリ）を起動する。このアプリは、携帯端末（Miracast）１ａでは「Miracast」、携帯端末（AirPlay）１ｂでは「AirPlay」、携帯端末（DLNA）１ｃでは「AirFun」などが挙げられる。なお、AirFunは、標準搭載アプリではないので、事前にアプリダウンロードサイト（google play）からダウンロードしてインストールしておく必要がある。
【００３６】
Ｓ１３１として、ユーザは、アダプタ装置２を介して表示装置４に描画する表示データの内容を決定するための表示操作（詳細は、図５で後記）を入力する。携帯端末１は、入力された表示操作を受け付ける（Ｓ１３２）。
Ｓ１３３として、携帯端末１（ミラーリングアプリ）は、Ｓ１３２で受け付けた表示操作をもとに表示データ（エンコードデータ）を作成し、Ｓ１２３，Ｓ１２４で確立された接続を介してアダプタ装置２に送信する。例えば、携帯端末（Miracast）１ａの場合は、表示操作をもとに自身の端末側表示部１１に表示する表示データを、エンコード部１３がリアルタイムにエンコードすることにより、表示データを作成する。一方、携帯端末（AirPlay）１ｂまたは携帯端末（DLNA）１ｃの場合、自身のエンコードデータ格納部１３ｂ，１３ｃに格納されているエンコードデータ（または、格納されているエンコードデータのリンク先から取得できるエンコードデータ）のうちの表示操作により指定されたデータを読み出す。
Ｓ１３４として、アダプタ装置２は、Ｓ１３３で受信したエンコードデータをデコードすることで表示データを取り出し、その表示データを表示装置４に転送することで、表示装置４に画面出力させる。
【００３７】
図５は、Ｓ１３４で出力される携帯端末の出力画面を示す説明図である。図５では、出力画面の一例として、携帯端末（AirPlay）１ｂで動作する動画再生アプリの画面を示す。出力画面は、上部のヘッダ領域９２と、その下に位置する表示領域９１とで構成される。
【００３８】
ヘッダ領域９２には、Ｓ１３１の表示操作をユーザに入力させるために、左から順に、完了ボタン９２ａ、再生時刻表示欄９２ｂ、再生位置スライドバー９２ｃ、残り時刻表示欄９２ｄが配置されている。
完了ボタン９２ａは、押下（タッチパネルの場合はタッチ）されると、動画再生アプリが終了し、アプリ選択画面（図示省略）に戻る。
再生時刻表示欄９２ｂには、現在の動画の再生時刻（再生位置）が表示されている。
再生位置スライドバー９２ｃは、スライドされると、再生位置が変更される。
残り時刻表示欄９２ｄには、現在の動画の残り時刻が表示されている。つまり、動画の時間長は、再生時刻と残り時刻との和である。
【００３９】
表示領域９１には、デコードされたエンコードデータの内容（例えば、スポーツの試合などのコンテンツデータ）が表示される。そして、表示領域９１の上に（重複して）操作領域９３が表示され、さらにその操作領域９３の上に表示先領域９４が表示される。
操作領域９３は、Ｓ１３１の表示操作をユーザに入力させるために、左から順に、動画の再生制御をするボタン群（前項目移動ボタン９３ａ、一時停止ボタン９３ｂ、次項目移動ボタン９３ｃ）と、表示先選択ボタン９３ｄが配置されている。表示先選択ボタン９３ｄは、押下されると、表示先領域９４を表示する。
【００４０】
表示先領域９４は、現在ユーザに見せている出力画面の表示先を選択させるための領域である。
ローカル出力選択欄（ｉＰａｄ）９４ａが押下により選択（チェック）されると、携帯端末（AirPlay）１ｂに搭載される端末側表示部１１（タッチパネル）へと、出力画面が表示される。
リモート出力選択欄（ａｂｂ）９４ｂが押下により選択（チェック）されると、表示装置４へと、出力画面が表示される。
なお、ローカル出力かリモート出力かという画面出力について、ローカル出力かリモート出力かを択一的に１つだけとしてもよいし、ローカル出力とリモート出力とを同時に行ってもよい。本実施形態での「ミラーリング」という用語は、出力画面を転送するという広義の意味で用いており、ローカル出力とリモート出力とを同時に行うシステム（狭義の意味）に限定されるものではない。
【００４１】
以上説明した本実施形態により、複数のミラーリング規格それぞれの接続待ちモード（Ｓ１１２）でアダプタ装置２が接続を受け付ける（Ｓ１２４）ことで、複数のミラーリング規格のいずれかの規格に従った、携帯端末１とアダプタ装置２との間の接続を確立することができる。
さらに、現在の接続待ちモード個別の設定に応じた設定用情報が、接続前にユーザに画面表示（Ｓ１１３）提示されることで、ユーザは、ＳＳＩＤなどの設定用情報をそのまま携帯端末１に入力することができ（Ｓ１２１）、複数のミラーリング規格の詳細を知らなくても、容易にミラーリングシステムを利用できる。
そして、本実施形態のアダプタ装置２は、複数（例えば３つ）の規格にそれぞれ対応することで、１つの規格だけしか対応しないアダプタ装置を規格数だけ用意する構成に比べて、アダプタ装置２の構成要素（中継側通信部２１の無線アンテナ、表示装置４との接続に用いられるＨＤＭＩ端子など）を１つに集約することができるので、低コストかつ拡張性の高いミラーリングシステムを導入することができる。
【符号の説明】
【００４２】
１      携帯端末
１１    端末側表示部
１２    レンダリング部
１３    エンコード部
１３    エンコードデータ
１４    端末側通信部
２      アダプタ装置
２１    中継側通信部
２２    通信設定部
２６    デコード部
２７    レンダリング部
２８    ＷＡＮ通信部
３１    メディアサーバ
３２    エンコードデータ
４      表示装置
【図１】
2014222432.tif 000003
【図２】
2014222432.tif 000004
【図３】
2014222432.tif 000005
【図４】
2014222432.tif 000006
【図５】
2014222432.tif 000007